(57)【要約】【課題】  紛失された移動通信端末装置が圏外に位置する場合、及びオフラインモードにある場合、記憶された情報の保護ができる移動通信端末装置を提供する。【解決手段】  情報保護部は、移動通信端末装置が圏外に位置する場合、情報保護モードが設定され（ステップＳ３０２の「圏外時設定オン」）、ロック設定がされていれば（ステップＳ３０４の「オン」）、内部記憶部をロックし、記憶された情報へのアクセスを不可能とするのみならず、外部記憶媒体をロックし、記憶された情報へのアクセスを不可能とし、かつ、取り外しを不可能にする（ステップＳ３０５）。移動通信端末装置がオフライン設定されている場合も同様である。【選択図】  図１６
2007300422.tif 000002
【特許請求の範囲】
【請求項１】
外部記憶媒体を取り外し可能な移動通信端末装置であって、
暗証情報が記憶される暗証情報記憶手段と、
所定の時間に渡って基地局との間の通信を行うことができない場合、前記外部記憶媒体に記憶された情報へのアクセスを禁止し、その後、前記暗証情報記憶手段に記憶された暗証情報と異なる暗証情報が所定の回数に渡って入力された場合、前記外部記憶媒体を初期化する情報保護手段と
を有することを特徴とする移動通信端末装置。
【請求項２】
前記情報保護手段は、前記所定の時間に渡って基地局との間の通信を行うことができない場合、前記外部記憶媒体を取り外し不可能にさせる
ことを特徴とする請求項１に記載の移動通信端末装置。
【請求項３】
外部記憶媒体を取り外し可能な移動通信端末装置であって、
内部記憶手段と、
所定の時間に渡って基地局との間の通信を行うことができない場合、前記外部記憶媒体に記憶された情報を前記内部記憶手段に移動し、前記内部記憶手段に記憶された情報へのアクセスを禁止する情報保護手段と
を有することを特徴とする移動通信端末装置。
【請求項４】
外部記憶媒体を取り外し可能な移動通信端末装置であって、
内部記憶手段と、
所定の時間に渡って基地局との間の通信を行うことができない場合、前記外部記憶媒体に記憶された情報を暗号化された情報に変換して、その暗号化された情報を前記外部記憶媒体または前記内部記憶手段に記憶させる情報保護手段と
を有することを特徴とする移動通信端末装置。
【請求項５】
前記移動通信端末装置は、前記基地局との間の通信を停止するオフラインモードの設定が可能であり、
前記基地局との間の通信を行うことができない場合とは、オフラインモードに設定されている場合である
ことを特徴とする請求項１乃至請求項４のいずれか１項に記載の移動通信端末装置。
【発明の詳細な説明】
【技術分野】
【０００１】
本発明は、移動通信端末装置に係り、特に、装置に記憶された情報の保護に関する。
【背景技術】
【０００２】
移動通信端末装置内の記憶装置、及び、その端末装置に取り付けられた取り外し可能な外部記憶媒体に、アドレス帳、スケジュール、メモ帳、電子メールなどの情報が記憶される。装置が紛失された場合、これらの情報が正当な使用者以外の者によって閲覧、改変されることは望ましくない。そこで、暗証番号（以後、汎用暗証番号と称する。）による個人認証処理を行い、認証が正常に行われた場合、装置が動作する、即ち、認証が行われないと、これらの情報へのアクセスを不可能とする処理が知られている。
【０００３】
また、他の通信装置から紛失された移動通信端末装置に対して、記憶された情報の消去を指示する方法が知られている。しかし、紛失された移動通信端末装置が圏外に位置する、即ち、基地局との無線通信が不可能な場所に位置する場合、装置は、上記消去の指示を受信することができない。なお、その装置がオフラインモードにある、即ち、電波の送受信を行わないモードに設定されている場合、装置が圏外に位置する場合と同様に、上記消去の指示を受信することができない。
【０００４】
そこで、紛失された移動通信端末装置が所定時間に渡って圏外に位置した場合、装置をロックモードに設定し、記憶された情報の読み書きを抑制する処理が知られている（例えば、特許文献１参照。）。
【特許文献１】特開２００４−３４９９０２号公報（第２頁、図４）
【発明の開示】
【発明が解決しようとする課題】
【０００５】
しかしながら、上述した特許文献１に開示されている方法では、紛失された移動通信端末装置が圏外に位置する場合、及びオフラインモードにある場合、記憶された情報の保護が充分でない問題点があった。即ち、多数の予想された暗証情報によってロック解除が試みられ、正当でない使用者によってロックが解除される恐れがある。また、その装置に取り付けられた取り外し可能な外部記憶媒体が、紛失の後に直ちに正当な使用者以外の者によって取り外された場合、その記憶媒体に記憶された情報の保護は困難である。
【０００６】
本発明は上記問題点を解決するためになされたもので、紛失された移動通信端末装置が圏外に位置する場合、及びオフラインモードにある場合、記憶された情報の保護ができる移動通信端末装置を提供することを目的とする。
【課題を解決するための手段】
【０００７】
上記目的を達成するために、本発明の移動通信端末装置は、外部記憶媒体を取り外し可能な移動通信端末装置であって、暗証情報が記憶される暗証情報記憶手段と、所定の時間に渡って基地局との間の通信を行うことができない場合、前記外部記憶媒体に記憶された情報へのアクセスを禁止し、その後、前記暗証情報記憶手段に記憶された暗証情報と異なる暗証情報が所定の回数に渡って入力された場合、前記外部記憶媒体を初期化する情報保護手段とを有することを特徴とする。
【０００８】
また、本発明の移動通信端末装置は、外部記憶媒体を取り外し可能な移動通信端末装置であって、内部記憶手段と、所定の時間に渡って基地局との間の通信を行うことができない場合、前記外部記憶媒体に記憶された情報を前記内部記憶手段に移動し、前記内部記憶手段に記憶された情報へのアクセスを禁止する情報保護手段とを有することを特徴とする。
【０００９】
また、本発明の移動通信端末装置は、外部記憶媒体を取り外し可能な移動通信端末装置であって、内部記憶手段と、所定の時間に渡って基地局との間の通信を行うことができない場合、前記外部記憶媒体に記憶された情報を暗号化された情報に変換して、その暗号化された情報を前記外部記憶媒体または前記内部記憶手段に記憶させる情報保護手段とを有することを特徴とする。
【発明の効果】
【００１０】
本発明によれば、紛失された移動通信端末装置が圏外に位置する場合、及びオフラインモードにある場合、記憶された情報の保護ができる移動通信端末装置を提供することができる。
【発明を実施するための最良の形態】
【００１１】
以下に、本発明による移動通信端末装置の実施の形態を、図面を参照して説明する。図１は、本発明の実施形態に係る移動通信端末装置ＭＳの構成を示すブロック図である。この移動通信端末装置ＭＳは、装置全体の制御を行う制御部１１と、基地局（図示せず）との間で電波の送受信を行うアンテナ１２ａと、通信部１２ｂと、送受信部１３と、通話用のスピーカ１４ａと、通話用のマイクロフォン１４ｂと、通話部１４ｃと、表示部１５と、入力装置１６と、情報保護部１７と、情報保護パラメータ記憶部１８と、アドレス帳管理部１９と、内部記憶部２０と、取り外し可能な外部記憶媒体３１との接続を行う接続部２１とからなる。
【００１２】
情報保護パラメータ記憶部１８には、情報保護パラメータ１８ａが記憶される。内部記憶部２０には、内部アドレス帳２０ａが記憶される。外部記憶媒体３１は、例えばＳＤカードであり、外部記憶媒体３１には、外部アドレス帳３１ａが記憶される。
【００１３】
上記のように構成された、本発明の実施形態に係る移動通信端末装置ＭＳの各部の動作を、図１を参照して説明する。
【００１４】
制御部１１は、移動通信端末装置ＭＳが待ち受け状態にある際は、間欠起床して、送受信部１３及び通信部１２ｂを制御して、基地局との間で通信をする。この通信は、受信された電波品質の測定及び着信信号の有無の判断を目的とした受信のみのこともあり、また、最も通信に適した基地局を待ち受け基地局として選択する場合等、送受信を行うこともある。また、いずれの基地局から送信された電波であっても受信品質が悪く、通信に適さないと判断される場合、移動通信端末装置ＭＳは圏外に位置すると判断して、基地局との間の通話通信を行わない制御をする。
【００１５】
また、入力装置１６の所定のキー操作によって、オフラインモードが設定された場合、制御部１１は、アンテナ１２ａを介した電波の送受を行わない。即ち、送受信部１３及び通信部１２ｂを制御して、基地局との間の通信を行わせない。また、間欠起床しない。
【００１６】
更に、制御部１１は、入力装置１６の所定のキー操作によって、移動通信端末装置ＭＳを動作制限モードに設定する。動作制限モードにあっては、移動通信端末装置ＭＳの各部の動作に制限が加えられ、例えば、内部記憶部２０に記憶された内部アドレス帳２０ａ及び外部記憶媒体３１に記憶された外部アドレス帳３１ａへのアクセスを禁止する制御をする。また、制御部１１は、入力装置１６のキー操作によって所定の汎用暗証番号が入力されると、動作制限モードの設定を解除する。
【００１７】
通信部１２ｂは、アンテナ１２ａが受信した高周波信号を送受信部１３へ出力し、また、送受信部１３から出力される高周波信号をアンテナ１２ａより送信する。
【００１８】
送受信部１３は、通信部１２ｂからの高周波信号を増幅、周波数変換及び復調し、それによって得られたディジタル音声信号を通話部１４ｃへ、また、着信信号を含む制御信号を制御部１１に送る。更には、通話部１４ｃから出力されるディジタル音声信号、及び制御部１１から出力される着呼信号及び発呼信号を含む制御信号を変調、周波数変換及び増幅し、高周波信号を得て、それを通信部１２ｂに送る。
【００１９】
通話部１４ｃは、送受信部１３から出力されるディジタル音声信号をアナログ音声信号に変換し、それを増幅してスピーカ１４ａに送る。また、マイクロフォン１４ｂから出力されるアナログ音声信号を増幅し、それをディジタル音声信号に変換して送受信部１３に送信する。
【００２０】
表示部１５は、制御部１１に制御されることで、カーソルを含む文字・数字や画像データの表示動作を行い、表示されているデータは、入力装置１６からの入力操作や着信信号に応答して制御部１１からの指示を受けることで切換わる。
【００２１】
入力装置１６は、通信相手の電話番号などを指定し、また、トグル式の入力方式によってひらがな文字、アルファベット文字及び記号文字を入力するための数字キーと、カーソル移動キーやスクロールキーを含む複数の機能キーとを含むキーからなる。そして、入力装置１６のキーが押下されると、そのキーの識別子が制御部１１に通知され、制御部１１によって、表示部１５に文字として表示され、各部に通知され、または、制御が行われる。
【００２２】
情報保護部１７は、入力装置１６の所定のキー操作に従って、情報保護パラメータ１８ａを情報保護パラメータ記憶部１８に格納する。また、移動通信端末装置ＭＳが所定の時間に渡って圏外に位置した場合等に、制御部１１によって起動されて、記憶された情報保護パラメータ１８ａに従って、内部記憶部２０に記憶された情報及び外部記憶媒体３１に記憶された情報の保護を行う。即ち、それらの情報へのアクセスが不可能な設定とする等の処理をする。また、入力装置１６の所定のキー操作によって、上記アクセスが不可能な設定から、アクセスが可能な設定とする。
【００２３】
アドレス帳管理部１９は、入力装置１６の所定のキー操作に従い制御部１１によって起動され、内部記憶部２０に記憶された内部アドレス帳２０ａと、外部記憶媒体３１に記憶された外部アドレス帳３１ａとを管理する。ここで、内部アドレス帳２０ａ、及び、外部アドレス帳３１ａは、氏名、電話番号、電子メールアドレス、住所が対応付けられた情報からなるが、これに限るものではない。上記以外の情報が含まれていても良い。
【００２４】
即ち、アドレス帳管理部１９は、入力装置１６の所定のキーが操作されると、内部アドレス帳２０ａ、及び、外部アドレス帳３１ａに記憶され、対応付けられた情報を検索して表示部１５に表示し、その表示された情報に対して、情報を修正し、または、情報を消去する。また、アドレス帳管理部１９は、入力装置１６の所定のキーが操作されると、新たな対応付けられた情報を内部アドレス帳２０ａ、または、外部アドレス帳３１ａに追加記憶する。更に、アドレス帳管理部１９は、入力装置１６の所定のキーが操作されると、検索された情報の電話番号を制御部１１に送信して、その番号に発呼させる。
【００２５】
接続部２１は、移動通信端末装置ＭＳの各部と外部記憶媒体３１との間の電気信号の接続を行う。また、外部記憶媒体３１が挿入された後、挿入口をふさぐスライド式の扉からなるが、これに限るものではない。回動式の扉であっても良い。そして、制御部１１から外部記憶媒体３１の取り外しの可の指示を受け、かつ、使用者の所定の操作を受けて、外部記憶媒体３１を取り外す。接続部２１は、例えば、取り外しの可の指示を受けることによって上記扉をスライド可能、または、回動可能とし、その指示を受けない場合、及び、移動通信端末装置ＭＳの電源断の状態では、例えば、ばねの弾性力によって、扉のスライド、または、扉の回動を不可能とする。
【００２６】
以下、本実施形態に係る移動通信端末装置ＭＳの情報保護に関する動作を説明する。
【００２７】
図２は、情報保護パラメータ記憶部１８に記憶される情報保護パラメータ１８ａの一例を示す。この情報保護パラメータ１８ａは、情報保護モード種別１８ｂと、情報保護設定１８ｃと、ロック設定１８ｄと、ロック暗証番号１８ｅと、ロック解除暗証番号１８ｆと、猶予時間１８ｇと、初期化設定１８ｈと、初期化パスワード１８ｉと、暗証番号誤り回数１８ｊと、外部記憶媒体初期化１８ｋとが関連付けられた３組の情報からなる。
【００２８】
情報保護モード種別１８ｂは、「捜索」と、「圏外」と、「オフライン」とのいずれかの値であり、それぞれの値を持つ情報の組は、移動通信端末装置ＭＳが圏内にあって捜索の指示を受信した場合の情報保護の設定と、移動通信端末装置ＭＳが圏外に位置する場合の情報保護の設定と、移動通信端末装置ＭＳがオフラインに設定されている場合の情報保護の設定とをそれぞれ示すパラメータである。
【００２９】
情報保護設定１８ｃは、「オン」と、「オフ」とのいずれかの値であり、「オン」であれば、情報保護の設定がされており、その値を持つ情報の組は、パラメータが記憶されていることを示し、「オフ」であれば、情報保護の設定がされておらず、その値を持つ情報の組の情報であって、情報保護モード種別１８ｂ及び情報保護設定１８ｃを除く情報は意味を持たないことを示す。図２に例示した情報保護パラメータ１８ａでは、３組の情報の全てで情報保護設定１８ｃが「オン」であり、上記の３通りの設定がされている例を示す。
【００３０】
ロック設定１８ｄは、後に詳述するように、所定の場合に内部記憶部２０に記憶された情報及び外部記憶媒体３１に記憶された情報をロックする、即ち、それらの情報の読み書きをせず、かつ、外部記憶媒体３１を取り外せないようにする動作を行うか否かを示し、ロック設定１８ｄが「オン」であれば、その動作を行い、「オフ」であれば、その動作を行わないことを示す。
【００３１】
ロック暗証番号１８ｅは、情報保護モード種別１８ｂが「捜索」であり、かつ、ロック設定１８ｄが「オン」である場合に意味を持ち、移動通信端末装置ＭＳが圏内に位置して、暗証番号を伴ったロックの指示を受信し、受信された暗証番号が、情報保護モード種別１８ｂが「捜索」である情報と対応したロック暗証番号１８ｅと等しい場合、上記の情報をロックする動作を行うことを示す。ロック暗証番号１８ｅは、情報保護モード種別１８ｂが「圏外」である場合と「オフライン」である場合、意味を持たない。図２に示す情報保護パラメータ１８ａでは、意味を持たないことを「−」文字により示す。
【００３２】
ロック解除暗証番号１８ｆは、情報保護モード種別１８ｂが「圏外」または「オフライン」であり、かつ、ロック設定１８ｄが「オン」である場合に意味を持ち、移動通信端末装置ＭＳが圏外に位置し、またはオフラインに設定されている際に情報がロックされた場合、ロック解除暗証番号１８ｆが入力装置１６から入力された際にそのロックが解除されることを示す。
【００３３】
猶予時間１８ｇは、情報保護モード種別１８ｂが「圏外」または「オフライン」であり、かつ、ロック設定１８ｄが「オン」である場合に意味を持ち、移動通信端末装置ＭＳが圏外に位置してから、またはオフラインに設定されてから猶予時間１８ｇが経過した際に、内部記憶部２０に記憶された情報及び外部記憶媒体３１に記憶された情報をロックする動作を行うことを示す。
【００３４】
初期化設定１８ｈは、後に詳述するように、所定の場合に内部記憶部２０を初期化する、即ち、内部記憶部２０に記憶された情報を消去する動作を行うか否かを示し、初期化設定１８ｈが「オン」であれば、その動作を行い、「オフ」であれば、その動作を行わないことを示す。
【００３５】
初期化パスワード１８ｉは、情報保護モード種別１８ｂが「捜索」であり、かつ、初期化設定１８ｈが「オン」である場合に意味を持ち、移動通信端末装置ＭＳが圏内に位置する場合に、パスワードを伴った初期化の指示を受信し、受信されたパスワードが情報保護パラメータ１８ａに含まれる初期化パスワード１８ｉと等しい場合、上記内部記憶部２０を初期化することを示す。
【００３６】
暗証番号誤り回数１８ｊは、情報保護モード種別１８ｂが「圏外」または「オフライン」であり、かつ、初期化設定１８ｈが「オン」である場合に意味を持ち、移動通信端末装置ＭＳが圏外に位置してから、またはオフラインに設定されてから、正しくないロック解除暗証番号、即ち、ロック解除暗証番号１８ｆと異なるロック解除暗証番号が連続して暗証番号誤り回数１８ｊに渡って入力された際、上記内部記憶部２０を初期化することを示す。
【００３７】
外部記憶媒体初期化１８ｋは、初期化設定１８ｈが「オン」である場合に意味を持ち、上記内部記憶部２０を初期化する際に、併せて外部記憶媒体３１を初期化するか否かを示し、外部記憶媒体初期化１８ｋが「オン」であれば、その初期化を行い、「オフ」であれば、その初期化を行わないことを示す。
【００３８】
以上説明したように、情報保護パラメータ１８ａは、情報保護モード種別１８ｂが、「圏外」と、「オフライン」とで別の情報を記憶する。移動通信端末装置ＭＳが圏外に位置する場合と、オフラインに設定されている場合とで、移動通信端末装置ＭＳが基地局との間の通信をできない点は同じである。しかし、異なる情報を記憶させることによって、使用者の使い方に依存した、適切な情報保護が可能となる。
【００３９】
例えば、オフラインに設定することがない使用者は、オフラインに設定されると、極く短い時間で情報をロックし、少数回の誤ったロック解除暗証番号の入力によって初期化をするパラメータを記憶させることができる。これにより、正当でない使用者がオフラインに設定し、移動通信端末装置ＭＳが圏内にあって捜索の指示を受信した場合の情報保護を避けて、情報の閲覧を試みることを防ぐことができる。
【００４０】
また、移動通信端末装置ＭＳを携帯して圏外に移動することがない使用者や、圏外に位置する際には移動通信端末装置ＭＳの電源を切断する習慣の使用者は、圏外に位置すると、極く短い時間で情報をロックし、少数回の誤ったロック解除暗証番号の入力によって初期化をするパラメータを記憶させることができる。これにより、正当でない使用者が移動通信端末装置ＭＳを携帯した場合、偶然、その使用者が圏外に移動したことを利用して、情報の保護を図ることができる。
【００４１】
図３は、情報保護部１７の情報保護モードを設定する動作、即ち、如何に情報を保護するかの設定を入力装置１６から入力して、情報保護パラメータ１８ａに記憶させる動作のフローチャートを示す。移動通信端末装置ＭＳの電源が投入されると（ステップＳ１０１）、その装置は、待ち受け状態におかれる（ステップＳ１０２）。待ち受け状態で、入力装置１６の所定のキー操作によって、情報保護部１７の情報保護モードを設定する動作が起動される（ステップＳ１０３）。
【００４２】
情報保護部１７は、入力装置１６の所定のキー操作によって、情報保護モードを設定するか否かを判断し（ステップＳ１０４）、設定しないと判断した場合、動作を終了し、ステップＳ１０２の移動通信端末装置ＭＳを待ち受け状態におく動作に移る。設定すると判断した場合、捜索モードを設定するか否かを判断し（ステップＳ１０５）、設定すると判断した場合、その設定、即ち、情報保護モード種別１８ｂが「捜索」である情報の組を情報保護パラメータ１８ａに記憶させる（ステップＳ１０６）。記憶させる情報には、少なくとも情報保護設定１８ｃに「オン」を記憶させる他、初期化設定１８ｈや、外部記憶媒体初期化１８ｋを含む。
【００４３】
ステップＳ１０５で設定しないと判断した場合、及び、ステップＳ１０６の動作が終了した場合、情報保護部１７は、入力装置１６の所定のキー操作によって、圏外時の設定をするか否かを判断し（ステップＳ１０７）、設定すると判断した場合、その設定、即ち、情報保護モード種別１８ｂが「圏外」である情報の組を情報保護パラメータ１８ａに記憶させる（ステップＳ１０８）。記憶させる情報には、少なくとも情報保護設定１８ｃに「オン」を記憶させる他、猶予時間１８ｇ、初期化設定１８ｈ、暗証番号誤り回数１８ｊ、及び外部記憶媒体初期化１８ｋを含む。
【００４４】
ステップＳ１０７で設定しないと判断した場合、及び、ステップＳ１０８の動作が終了した場合、情報保護部１７は、入力装置１６の所定のキー操作によって、オフライン時の設定をするか否かを判断し（ステップＳ１０９）、設定すると判断した場合、その設定、即ち、情報保護モード種別１８ｂが「オフライン」である情報の組を情報保護パラメータ１８ａに記憶させる（ステップＳ１１０）。記憶させる情報には、少なくとも情報保護設定１８ｃに「オン」を記憶させる他、猶予時間１８ｇ、初期化設定１８ｈ、暗証番号誤り回数１８ｊ、及び外部記憶媒体初期化１８ｋを含む。
【００４５】
ステップＳ１０９で設定しないと判断した場合、及び、ステップＳ１１０の動作が終了した場合、情報保護部１７は、情報保護モードを設定する動作を終了し、ステップＳ１０２の移動通信端末装置ＭＳを待ち受け状態におく動作に移る（ステップＳ１１１）。
【００４６】
上記の情報保護部１７の情報保護モードを設定する動作を、情報保護部１７が表示部１５に表示する情報を含め、図４〜図１４を参照して詳述する。
【００４７】
図４は、情報保護部１７が起動され、情報保護モード種別１８ｂがいずれの値である情報を情報保護パラメータ１８ａに記憶されるかの判断をする際の表示部１５の表示を示す。即ち、図４（ａ）は、ステップＳ１０２の待ち受け状態で、待ち受け画面１５ａが表示されている状態を示す。
【００４８】
図４（ｂ）は、ステップＳ１０４の情報保護モードを設定するか否かを判断するための表示部１５の表示を示し、表示部１５の上端の実行機能表示欄１５ｂには、「情報保護モード設定」なる文字が表示されている。そして、表示部１５の略中央部には、「ＯＮ」及び「ＯＦＦ」の２つのボタンからなる情報保護設定オンオフ選択ボタン１５ｃが表示され、「ＯＮ」が選択されていることを、「ＯＮ」が矩形で囲まれていることにより示す。「ＯＮ」が選択されている状態で入力装置１６の所定のキーが操作されると、ステップＳ１０４で、情報保護部１７によって、設定するとの判断がされる。一方、「ＯＦＦ」が選択されている状態で入力装置１６の所定のキーが操作されると、設定しないとの判断がされる。
【００４９】
図４（ｃ）は、図４（ｂ）で「ＯＮ」が矩形で選択されている状態で入力装置１６の所定のキーが操作された、即ち、ステップＳ１０４で、情報保護部１７によって、設定するとの判断がされた際の表示部１５の表示を示す。即ち、実行機能表示欄１５ｂには、引き続き「情報保護モード設定」なる文字が表示され、表示部１５の略中央部には、「捜索モード設定」、「圏外時設定」及び「オフライン時設定」の３つのボタンからなる情報保護設定種別選択ボタン１５ｄが表示され、その中で「捜索モード設定」が選択されていることを、「捜索モード設定」が矩形で囲まれていることにより示す。
【００５０】
「捜索モード設定」が選択されている状態で入力装置１６の所定のキーが操作されると、情報保護部１７によって、ステップＳ１０５で、設定するとの判断がされる。「圏外時設定」が選択されている状態で入力装置１６の所定のキーが操作されると、ステップＳ１０７で、設定するとの判断がされる。「オフライン時設定」が選択されている状態で入力装置１６の所定のキーが操作されると、ステップＳ１０９で、設定するとの判断がされる。
【００５１】
図５及び図６は、捜索モード設定の動作、即ち、ステップＳ１０６の動作の中で、ロック設定１８ｄの設定に関する動作の際に表示部１５に表示される情報を示す。
【００５２】
図５（ａ）は、捜索モード設定の動作、即ち、ステップＳ１０６の動作を開始した段階で、実行機能表示欄１５ｂには、引き続き「情報保護モード設定」なる文字が表示され、表示部１５の略中央部には、「捜索モード設定  暗証番号は？」なる文字と、この文字に誘導されて入力された暗証番号の秘密保持のため、入力された文字とは異なる文字に変更された「＊＊＊＊」なる文字とからなる捜索モード暗証番号入力画面１５ｅが表示されている。なお、入力された暗証番号は、「１２３４」であるとする。
【００５３】
この入力された暗証番号は、情報保護部１７によって、情報保護モード種別１８ｂが「捜索」である情報に対応するロック暗証番号１８ｅとして、情報保護パラメータ１８ａに記憶される。
【００５４】
図５（ｂ）は、捜索モード設定の動作を開始することの確認のための捜索モード設定画面であり、実行機能表示欄１５ｂには、引き続き「情報保護モード設定」なる文字が表示され、表示部１５の略中央部には、「捜索モード設定」なる文字と、「ＯＮ」及び「ＯＦＦ」の２つのボタンからなる捜索モード設定オンオフ選択ボタン１５ｆが表示され、「ＯＮ」が選択されていることを、「ＯＮ」が矩形で囲まれていることにより示す。「ＯＮ」が選択されている状態で入力装置１６の所定のキーが操作されると、情報保護部１７は、情報保護パラメータ１８ａに記憶された情報で情報保護モード種別１８ｂが「捜索」である組の情報保護設定１８ｃに「オン」を格納し、捜索モード設定の動作を続ける。
【００５５】
一方、「ＯＦＦ」が選択されている状態で入力装置１６の所定のキーが操作されると、情報保護部１７は、情報保護パラメータ１８ａに記憶された情報で情報保護モード種別１８ｂが「捜索」である組の情報保護設定１８ｃに「オフ」を格納し、図４（ｃ）に示す、情報保護設定種別選択ボタン１５ｄの表示に移る。
【００５６】
図５（ｃ）は、引き続き捜索モード設定の動作が行われる際の表示部１５の表示であり、実行機能表示欄１５ｂには、「捜索モード設定」なる文字が表示され、表示部１５の略中央部には、「ロック設定」及び「初期化設定」の２つのボタンからなる捜索モード設定選択ボタン１５ｇが表示され、「ロック設定」が選択されていることを、「ロック設定」が矩形で囲まれていることにより示す。「ロック設定」が選択されている状態で入力装置１６の所定のキーが操作されると、情報保護部１７は、情報保護パラメータ１８ａに記憶された情報で情報保護モード種別１８ｂが「捜索」である組のロック設定１８ｄに「オン」を格納する。
【００５７】
図６は、「ロック設定」の動作が続いている際の表示部１５の表示であり、実行機能表示欄１５ｂには、引き続き「捜索モード」なる文字が表示され、表示部１５の略中央部には、「［パスワード」」、「［連絡先」」及び「「待受メッセージ」」なる文字からなる捜索モードロック確認表示１５ｈが表示されている。「［パスワード」」は、既に説明したように、ロック暗証番号１８ｅとして情報保護パラメータ１８ａに記憶された文字を、「［連絡先」」及び「「待受メッセージ」」は、ロックがかけられた際に、待ち受け画面に表示されるメッセージを示す文字であって、確認のために表示されたものである。
【００５８】
「［連絡先」」及び「「待受メッセージ」」は、図５（ａ）に示した捜索モード暗証番号入力画面１５ｅと同様の表示部１５の画面（図示せず）を用いて入力され、また、情報保護パラメータ１８ａに記憶される（図示せず）。
【００５９】
図７及び図８は、捜索モード設定の動作、即ち、ステップＳ１０６の動作の中で、初期化に関する設定、即ち、初期化設定１８ｈ、初期化パスワード１８ｉ及び外部記憶媒体初期化１８ｋの設定に関する動作の際に表示部１５に表示される情報を示す。
【００６０】
図５（ｃ）に示す捜索モード設定選択ボタン１５ｇによって「初期化設定」が選択された場合、情報保護部１７は、情報保護パラメータ１８ａに記憶された情報で情報保護モード種別１８ｂが「捜索」である組の初期化設定１８ｈに「オン」を格納する。そして、図７は、その際の表示部１５の表示を示す。即ち、実行機能表示欄１５ｂには、「捜索モード」なる文字が表示され、表示部１５の略中央部には、「初期化設定  ［パスワード］」なる文字と、その文字に促されて入力されたパスワード「ＡＢＣＤＥＦＧ」とからなる捜索モード初期化パスワード入力画面１５ｉが表示されている。
【００６１】
図８（ａ）は、パスワードの入力終了に続いて表示部１５に表示される情報を示し、実行機能表示欄１５ｂには、引き続き「捜索モード」なる文字が表示され、表示部１５の略中央部には、「初期化設定  ［ＡＢＣＤＥＤＧ］」なる文字と、「確認」なる文字が表示されたボタンからなる捜索モード初期化パスワード確認表示１５ｊが表示されている。ここで、「確認」なる文字が表示されたボタンが入力装置１６の所定のキー操作によって選択されると、情報保護部１７は、上記入力され、そして、表示されているパスワードを情報保護パラメータ１８ａに記憶された情報で情報保護モード種別１８ｂが「捜索」である情報の対応する初期化パスワード１８ｉに格納する。
【００６２】
図８（ｂ）及び図８（ｃ）は、引き続き、外部記憶媒体３１に記憶された情報の初期化に関する設定を行うための表示部１５に表示される情報を示す。即ち、図８（ｂ）は、実行機能表示欄１５ｂには、引き続き「捜索モード」なる文字が表示され、表示部１５の略中央部には、「ＳＤカードも  初期化しますか？」なる文字と、「する」及び「しない」の２つのボタンとからなる捜索モード外部記憶媒体初期化設定オンオフ選択ボタン１５ｋが表示されている。ここで、「する」のボタンが矩形で囲まれることによって、そのボタンが選択されていることを示す。
【００６３】
「する」のボタンが選択されている際に、入力装置１６の所定のキーが操作されると、情報保護部１７は、情報保護パラメータ１８ａに記憶された情報で情報保護モード種別１８ｂが「捜索」に対応する外部記憶媒体初期化１８ｋに「オン」を格納する。そして、図８（ｃ）に示すように、表示部１５の実行機能表示欄１５ｂには、引き続き「捜索モード」なる文字が表示され、表示部１５の略中央部には、「初期化設定」なる文字と、「設定しました  ※ＳＤも初期化  されます」なる文字とからなる捜索モード外部記憶媒体初期化確認表示１５ｍが表示される。
【００６４】
一方、「しない」のボタンが選択されている際に、入力装置１６の所定のキーが操作されると、情報保護部１７は、情報保護パラメータ１８ａに記憶された情報で情報保護モード種別１８ｂが「捜索」に対応する外部記憶媒体初期化１８ｋに「オフ」を格納する。
【００６５】
上記の情報保護部１７の動作により、図２に例示した情報保護パラメータ１８ａで、情報保護モード種別１８ｂが「捜索」に対応した情報には、「オン」なる情報保護設定１８ｃ、「オン」なるロック設定１８ｄ、「１２３４」なるロック暗証番号１８ｅ、「オン」なる初期化設定１８ｈ、「ＡＢＣＤＥＦＧ」なる初期化パスワード１８ｉ、及び「オン」なる外部記憶媒体初期化１８ｋが記憶される。なお、情報保護モード種別１８ｂが「捜索」に対応したロック解除暗証番号１８ｆ、猶予時間１８ｇ及び暗証番号誤り回数１８ｊは、既に説明した通り、意味を持たない。
【００６６】
図９乃至図１１は、情報保護部１７の圏外時設定の動作、即ち、ステップＳ１０８の動作の中で、ロックに関する設定及び初期化に関する設定に関する動作の際に表示部１５に表示される情報を示す。
【００６７】
図９は、情報保護部１７が圏外時設定の動作を開始する際の表示部１５の表示を示す。図９（ａ）は、情報保護モード設定画面（その３）であり、ステップＳ１０４で、情報保護部１７によって、情報保護モードを設定するとの判断がされた際の表示部１５の表示で、情報保護設定種別選択ボタン１５ｄの中から「圏外時設定」が選択された表示を示す。なお、この図９（ａ）に示す表示は、図４（ｃ）に示す「捜索モード設定」が選択された表示と同じで、矩形で囲まれた、選択されたボタンのみが異なっている。
【００６８】
続いて、図９（ｂ）は、圏外時のロック解除暗証番号入力画面であり、実行機能表示欄１５ｂには、引き続き「情報保護モード設定」なる文字が表示され、「圏外時設定  暗証番号は？」なる文字列と、この文字列に誘導されて入力された暗証番号が秘密を保つために異なる文字に代えられた「＊＊＊＊」なる文字列とからなる圏外時ロック解除暗証番号入力画面１５ｎが略中央部に表示されている。なお、入力された暗証番号は、「１２３４」であるとする。情報保護部１７は、ここで入力された暗証番号を情報保護モード種別１８ｂが「圏外」に対応したロック解除暗証番号１８ｆに記憶する。
【００６９】
図９（ｃ）は、圏外時設定画面（その１）であり、ステップＳ１０７の圏外時設定を設定するか否かを判断するために、続いて表示部１５に表示される内容を示し、表示部１５の上部の「圏外時設定」なる文字列と、略中央部の「ＯＮ」及び「ＯＦＦ」の２つのボタンからなる圏外時設定オンオフ選択ボタン１５ｏが表示され、「ＯＮ」が選択されていることを、「ＯＮ」が矩形で囲まれていることにより示す。「ＯＮ」が選択されている状態で入力装置１６の所定のキーが操作されると、ステップＳ１０７で、情報保護部１７によって、設定するとの判断がされる。また、情報保護部１７は、情報保護モード種別１８ｂが「圏外」に対応した情報保護設定１８ｃに「オン」を記憶する。
【００７０】
一方、「ＯＦＦ」が選択されている状態で入力装置１６の所定のキーが操作されると、情報保護部１７は、情報保護モード種別１８ｂが「圏外」に対応した情報保護設定１８ｃに「オフ」を記憶し、図９（ａ）に示す、情報保護設定種別選択ボタン１５ｄの表示に移る。
【００７１】
図１０は、圏外時設定で、ロック設定を行う際に表示部１５に表示される内容を示す。図１０（ａ）は、圏外時設定画面（その２）であり、図９（ｃ）で「ＯＮ」が選択されている状態で入力装置１６の所定のキーが操作された際の表示部１５の表示を示す。即ち、実行機能表示欄１５ｂには、「圏外時設定」なる文字が表示され、略中央部には、「ロック設定」及び「初期化設定」の２つのボタンからなる圏外時設定選択ボタン１５ｐが表示されている。そして、その中で「ロック設定」が選択されていることを、「ロック設定」が矩形で囲まれていることにより示す。
【００７２】
「ロック設定」が選択されている状態で入力装置１６の所定のキーが操作されると、情報保護部１７は、情報保護モード種別１８ｂが「圏外」に対応したロック設定１８ｄに「オン」を記憶する。
【００７３】
図１０（ｂ）は、圏外時のロック猶予時間入力画面であり、「ロック設定」が選択された後、表示部１５に表示される内容を示す。実行機能表示欄１５ｂには「圏外時ロック設定」なる文字が表示され、略中央部には、「何分でロックしますか？（５〜６０分）」なる文字と、この文字に誘導されて入力された「１０分」なる文字からなる圏外時ロック猶予時間入力画面１５ｑが表示されている。そして、情報保護部１７は、この入力された圏外時のロック猶予時間を情報保護モード種別１８ｂが「圏外」に対応した猶予時間１８ｇに記憶する。
【００７４】
図１０（ｃ）は、圏外時ロック設定確認表示であり、上記猶予時間１８ｇが記憶されたことを示す表示部１５の表示を示し、実行機能表示欄１５ｂには引き続き「圏外時ロック設定」なる文字が表示され、略中央部には、「１０分  設定しました」なる文字からなる圏外時ロック確認表示１５ｒが表示されている。
【００７５】
図１１は、圏外時の初期化設定の際に表示部１５に表示される内容を示す。図１１（ａ）は、圏外時初期化設定画面（その１）であり、図１０（ａ）に示す圏外時設定画面（その２）で「初期化設定」が選択されている状態で入力装置１６の所定のキーが操作されると表示される。
【００７６】
この表示は、実行機能表示欄１５ｂには「圏外時初期化設定」なる文字と、表示部１５の略中央部には「暗証番号何回失敗で初期化しますか？（３〜２０回）」なる文字と、この文字に誘導されて入力された「１０回」なる文字からなる圏外時暗証番号リトライ回数入力画面１５ｓが表示されている。そして、情報保護部１７は、この入力された圏外時の圏外時暗証番号リトライ回数である「１０回」を情報保護モード種別１８ｂが「圏外」に対応した暗証番号誤り回数１８ｊに記憶し、情報保護モード種別１８ｂが「圏外」に対応した初期化設定１８ｈに「オン」を記憶する。
【００７７】
図１１（ｂ）は、続いて表示される圏外時初期化設定画面（その２）であり、実行機能表示欄１５ｂには引き続き「圏外時初期化設定」なる文字と、表示部１５の略中央部には「ＳＤカードも初期化しますか？」なる文字と、「する」及び「しない」なる２つのボタンとからなる圏外時外部記憶媒体初期化選択ボタン１５ｔが表示されている。そして、「する」が選択されていることを、「する」を矩形で囲むことにより示す。
【００７８】
「する」が選択されている状態で、入力装置１６の所定のキーが操作されると、情報保護部１７は、情報保護モード種別１８ｂが「圏外」に対応した外部記憶媒体初期化１８ｋに「オン」を記憶する。一方、「しない」が選択されている状態で、入力装置１６の所定のキーが操作されると、情報保護モード種別１８ｂが「圏外」に対応した外部記憶媒体初期化１８ｋに「オフ」を記憶する。
【００７９】
図１１（ｃ）は、圏外時初期化設定確認表示であり、実行機能表示欄１５ｂには引き続き「圏外時初期化設定」なる文字と、表示部１５の略中央部には「１０回設定しました※ＳＤカードも初期化します」なる文字からなる圏外時初期化確認表示１５ｕが表示されている。圏外時初期化確認表示１５ｕの表示は、図１１（ａ）に示す圏外時暗証番号リトライ回数入力画面１５ｓを介して入力された情報と、図１１（ｂ）に示す圏外時外部記憶媒体初期化選択ボタン１５ｔを介して入力された情報とから作成されたものである。
【００８０】
上記の情報保護部１７の動作により、図２に例示した情報保護パラメータ１８ａで、情報保護モード種別１８ｂが「圏外」に対応した情報には、「オン」なる情報保護設定１８ｃ、「オン」なるロック設定１８ｄ、「１２３４」なるロック解除暗証番号１８ｆ、「１０分」なる猶予時間１８ｇ、「オン」なる初期化設定１８ｈ、「１０回」なる暗証番号誤り回数１８ｊ、及び「オン」なる外部記憶媒体初期化１８ｋが記憶される。なお、既に説明した通り、情報保護モード種別１８ｂが「圏外」に対応したロック暗証番号１８ｅ及び初期化パスワード１８ｉは、意味を持たない。
【００８１】
図１２乃至図１４は、情報保護部１７のオフライン時設定の動作、即ち、ステップＳ１１０の動作の中で、ロックに関する設定及び初期化に関する設定、即ち、情報保護設定１８ｃ、ロック設定１８ｄ、ロック解除暗証番号１８ｆ、猶予時間１８ｇ、初期化設定１８ｈ、暗証番号誤り回数１８ｊ及び外部記憶媒体初期化１８ｋの設定に関する動作の際に表示部１５に表示される情報を示す。
【００８２】
この情報保護部１７のオフライン時設定の動作、及びその動作の際に表示部１５に表示される情報は、図９乃至図１１を参照して説明した情報保護部１７の圏外時設定の動作、及びその動作の際に表示部１５に表示される情報と類似しており、詳細な説明を省略し、相違点を説明する。
【００８３】
第１の相違点は、図１２（ａ）に示す情報保護モード設定画面（その３）で、情報保護設定種別選択ボタン１５ｄから「オフライン時設定」を選択することにより、情報保護部１７のオフライン時設定の動作が開始されることである。図１２（ａ）では、「オフライン時設定」が選択されていることを「オフライン時設定」を矩形で囲むことにより示す。
【００８４】
第２の相違点は、全ての表示で「圏外時」なる文字は、「オフライン時」に置き換えられることである。第３の相違点は、情報保護部１７の情報保護パラメータ１８ａへの情報の記憶に関し、圏外時設定の動作にあっては情報保護モード種別１８ｂが「圏外」に対応した情報を記憶させたのに対し、オフライン時設定の動作にあっては、情報保護モード種別１８ｂが「オフライン」に対応した情報を記憶させることである。
【００８５】
なお、図１４（ｂ）に示すオフライン時初期化設定画面（その２）では、図１１（ｂ）に示す圏外時初期化設定画面（その２）と異なり、オフライン時外部記憶媒体初期化選択ボタン１５ｔ２で、「しない」を選択した場合を例示した。これに伴い、図１４（ｃ）に示すオフライン時初期化確認表示１５ｕ２では、「１０回設定しました」なる文字が表示されている。
【００８６】
また、これに対応して、図２に例示した情報保護パラメータ１８ａで、情報保護モード種別１８ｂが「オフライン」に対応した情報と、情報保護モード種別１８ｂが「圏外」に対応した情報とを比較すると、情報保護モード種別１８ｂが「オフライン」に対応した情報の内で、外部記憶媒体初期化１８ｋは、「オフ」なる情報が記憶されている点が、異なっており、その他の情報は同じである。
【００８７】
図１５は、移動通信端末装置ＭＳが圏内に位置し、捜索の指示を受信した際の、情報保護部１７の捜索による情報保護の動作、即ち、情報のロックと、初期化の動作のフローチャートを示す。
【００８８】
情報保護部１７は、捜索指示信号を受信した制御部１１によって起動され、動作を開始する（ステップＳ２０１）。この際、捜索指示信号に伴って受信されたロック暗証番号と、初期化パスワードとが制御部１１から情報保護部１７に通知される。なお、上記情報保護を指示する信号と、ロック暗証番号と、初期化パスワードとは、任意の通信端末装置から直接に、または、通信事業者の装置によるその通信端末装置の使用者の認証を経た上で、移動通信端末装置ＭＳに送信される。
【００８９】
ここで、移動通信端末装置ＭＳは、その識別情報、例えば、その電話番号や、その電子メールアドレスによって指定される。この送信は、例えば、制御信号として送られるが、これに限るものではない。移動通信端末装置ＭＳは、電子メール送受信部（図示せず）を有し、上記送信は、電子メールで送られるとしても良い。
【００９０】
情報保護部１７は、情報保護モード種別１８ｂが「捜索」に等しい情報を情報保護パラメータ１８ａから検索し、検索された情報に対応する情報保護設定１８ｃによって情報保護の動作を行うか否かを判断する（ステップＳ２０２）。即ち、その情報保護設定１８ｃが「オフ」であれば、情報保護部１７は、情報保護の動作を終了する（ステップＳ２０３）。
【００９１】
一方、その情報保護設定１８ｃが「オン」であれば、情報保護部１７は、ステップＳ２０２で検索された情報に対応するロック設定１８ｄによってロック設定を行うか否かを判断する（ステップＳ２０４）。即ち、そのロック設定１８ｄが「オン」であれば、ステップＳ２０１で制御部１１から通知されたロック暗証番号と、ステップＳ２０２で検索された情報に対応するロック暗証番号１８ｅとを比較する（ステップＳ２０５）。
【００９２】
この比較の結果、両者が等しければ、情報保護部１７は、内部記憶部２０及び外部記憶媒体３１をロックする（ステップＳ２０６）。即ち、内部記憶部２０に記憶された内部アドレス帳２０ａ及び外部記憶媒体３１に記憶された外部アドレス帳３１ａの読み出し及び書き込み要求を実行しないことを制御部１１に指示する。また、外部記憶媒体３１が移動通信端末装置ＭＳから取り外すことができない設定を接続部２１に指示する。
【００９３】
上記ロックが終了した場合、ステップＳ２０５で比較した両者が異なる場合、及び、ステップＳ２０４で上記ロック設定１８ｄが「オフ」である場合、情報保護部１７は、ステップＳ２０２で検索された情報に対応する初期化設定１８ｈによって、初期化設定をするか否かを判断する（ステップＳ２０７）。上記初期化設定１８ｈが「オフ」であれば、情報保護部１７は、情報保護の動作を終了する（ステップＳ２０３）。
【００９４】
一方、上記初期化設定１８ｈが「オン」であれば、情報保護部１７は、ステップＳ２０１で制御部１１から通知された初期化パスワードと、ステップＳ２０２で検索された情報に対応する初期化パスワード１８ｉとを比較する（ステップＳ２０８）。この比較の結果、両者が異なれば、情報保護部１７は、情報保護の動作を終了する（ステップＳ２０３）。一方、両者が等しければ、情報保護部１７は、内部記憶部２０を初期化する（ステップＳ２０９）。即ち、内部記憶部２０に記憶された内部アドレス帳２０ａの全ての情報を消去する。
【００９５】
そして、ステップＳ２０２で検索された情報に対応する外部記憶媒体初期化１８ｋによって、外部記憶媒体３１を初期化するか否かを調べる（ステップＳ２１０）。上記外部記憶媒体初期化１８ｋが「オフ」であれば、情報保護部１７は、情報保護の動作を終了する（ステップＳ２０３）。一方、上記外部記憶媒体初期化１８ｋが「オン」であれば、情報保護部１７は、外部記憶媒体３１を初期化する（ステップＳ２１１）。即ち、外部記憶媒体３１に記憶された外部アドレス帳３１ａの全ての情報を消去して、情報保護の動作を終了する（ステップＳ２０３）。
【００９６】
図１６は、移動通信端末装置ＭＳが所定時間に渡って連続して圏外に位置した際の、情報保護部１７の情報保護の動作、即ち、情報のロックの動作のフローチャートを示す。制御部１１は、移動通信端末装置ＭＳが連続して圏外に位置した時間を計測する。そして、情報保護部１７は、移動通信端末装置ＭＳが猶予時間１８ｇ以上の間、圏外に位置し、かつ、その猶予時間１８ｇと対応する情報保護モード種別１８ｂが「圏外」であると、制御部１１によって起動され、動作を開始する（ステップＳ３０１）。
【００９７】
そして、情報保護モード種別１８ｂが「圏外」である情報を情報保護パラメータ１８ａから検索し、その情報に対応する情報保護設定１８ｃによって、情報保護の動作を行うか否かを判断する（ステップＳ３０２）。即ち、その情報保護設定１８ｃが「オフ」であれば、情報保護部１７は、情報保護の動作を終了する（ステップＳ３０３）。
【００９８】
一方、その情報保護設定１８ｃが「オン」であれば、情報保護部１７は、ステップＳ３０２で検索された情報に対応するロック設定１８ｄによってロック設定を行うか否かを判断する（ステップＳ３０４）。そして、そのロック設定１８ｄが「オフ」であれば、情報保護の動作を終了する（ステップＳ３０３）。
【００９９】
一方、そのロック設定１８ｄが「オン」であれば、情報保護部１７は、内部記憶部２０及び外部記憶媒体３１をロックして（ステップＳ３０５）、情報保護の動作を終了する（ステップＳ３０３）。ステップＳ３０５のロックの動作は、図１５を参照して説明した情報保護部１７の捜索による情報保護の動作のステップＳ２０６のロックの動作と同一であり、詳細な説明を省略する。
【０１００】
なお、ステップＳ３０１で、情報保護部１７は、移動通信端末装置ＭＳが猶予時間１８ｇ以上の間、圏外に位置し、かつ、その猶予時間１８ｇと対応する情報保護モード種別１８ｂが「圏外」であると、制御部１１によって起動されるとし、猶予時間１８ｇ以上の間圏外に位置するとの判断は、連続して猶予時間１８ｇ以上圏外に位置するとしたが、これに限るものではない。例えば、圏内に位置する短時間を挟み、圏外に位置する時間が猶予時間１８ｇ以上の場合を含むとしても良い。
【０１０１】
図１７は、移動通信端末装置ＭＳが圏外に位置し、かつ、図１６を参照して説明したように、情報がロックされ、そのロック解除暗証番号として所定回数連続して誤った番号が入力された際の、情報保護部１７の情報保護の動作、即ち、情報の初期化の動作のフローチャートを示す。
【０１０２】
制御部１１は、移動通信端末装置ＭＳが圏外に位置することを検出し、情報がロックされていると、入力装置１６からロック解除暗証番号を入力し、情報保護モード種別１８ｂが「圏外」である情報を情報保護パラメータ１８ａから検索する。そして、検索された情報と対応するロック解除暗証番号１８ｆと異なるロック解除暗証番号が、検索された情報と対応する暗証番号誤り回数１８ｊに渡り連続して入力されたか否かを検出する。
【０１０３】
情報保護部１７は、移動通信端末装置ＭＳが圏外に位置し、かつ、上記ロック解除暗証番号１８ｆと異なるロック解除暗証番号が、上記暗証番号誤り回数１８ｊに渡り連続して入力されると、制御部１１によって起動され、動作を開始する（ステップＳ４０１）。
【０１０４】
情報保護部１７は、情報保護モード種別１８ｂが「圏外」である情報を情報保護パラメータ１８ａから検索し、その情報に対応する情報保護設定１８ｃによって、情報保護の動作を行うか否かを判断する（ステップＳ４０２）。即ち、その情報保護設定１８ｃが「オフ」であれば、情報保護部１７は、情報保護の動作を終了する（ステップＳ４０３）。
【０１０５】
一方、その情報保護設定１８ｃが「オン」であれば、情報保護部１７は、ステップＳ３０２で検索された情報に対応する初期化設定１８ｈによって初期化を行うか否かを判断する（ステップＳ４０４）。そして、その初期化設定１８ｈが「オフ」であれば、情報保護の動作を終了する（ステップＳ４０３）。
【０１０６】
一方、その初期化設定１８ｈが「オン」であれば、情報保護部１７は、内部記憶部２０を初期化する（ステップＳ４０５）。この内部記憶部２０の初期化の動作は、図１５を参照して説明した情報保護部１７の捜索による情報保護の動作のステップＳ２０９の初期化の動作と同一であり、詳細な説明を省略する。
【０１０７】
続いて、情報保護部１７は、ステップＳ４０２で検索された情報に対応する外部記憶媒体初期化１８ｋによって、外部記憶媒体３１を初期化するか否かを調べる（ステップＳ４０６）。上記外部記憶媒体初期化１８ｋが「オフ」であれば、情報保護部１７は、情報保護の動作を終了する（ステップＳ４０３）。一方、上記外部記憶媒体初期化１８ｋが「オン」であれば、情報保護部１７は、外部記憶媒体３１を初期化して（ステップＳ４０７）、情報保護の動作を終了する（ステップＳ４０３）。
【０１０８】
このステップＳ２０７の外部記憶媒体３１の初期化の動作は、図１５を参照して説明した情報保護部１７の捜索による情報保護の動作のステップＳ２１１の初期化の動作と同一であり、詳細な説明を省略する。
【０１０９】
図１８は、移動通信端末装置ＭＳが所定時間に渡って連続してオフライン設定にあった際の、情報保護部１７の情報保護の動作、即ち、情報のロックの動作のフローチャートを示す。このオフライン設定にあった際の情報保護部１７の情報保護の動作は、図１６を参照して説明した、移動通信端末装置ＭＳが所定時間に渡って連続して圏外に位置した際の情報保護部１７の情報保護の動作に類似している。そこで、同じ動作ステップには同じ符号を付して、説明を省略する。
【０１１０】
制御部１１は、移動通信端末装置ＭＳが連続してオフライン設定にあった時間を計測する。そして、移動通信端末装置ＭＳが猶予時間１８ｇ以上の間、オフライン設定にあり、かつ、その猶予時間１８ｇと対応する情報保護モード種別１８ｂが「オフライン」であると、情報保護部１７は、制御部１１によって起動され、動作を開始する（ステップＳ５０１）。
【０１１１】
そして、情報保護モード種別１８ｂが「オフライン」である情報を情報保護パラメータ１８ａから検索し、その情報に対応する情報保護設定１８ｃによって、情報保護の動作を行うか否かを判断する（ステップＳ５０２）。即ち、その情報保護設定１８ｃが「オフ」であれば、情報保護部１７は、情報保護の動作を終了する（ステップＳ３０３）。
【０１１２】
一方、その情報保護設定１８ｃが「オン」であれば、情報保護部１７は、既に説明した、移動通信端末装置ＭＳが所定時間に渡って連続して圏外に位置した際の情報保護部１７の情報保護の動作のステップＳ３０４以降を行う。なお、このオフライン設定にあった際の情報保護部１７の情報保護の動作におけるステップＳ３０４では、ステップＳ５０２で検索された情報に対応する情報、即ち、情報保護モード種別１８ｂが「オフライン」である情報と対応して記憶された情報を参照する。
【０１１３】
なお、ステップＳ５０１で、情報保護部１７は、移動通信端末装置ＭＳが連続して猶予時間１８ｇ以上オフライン設定されていた際に起動されるとしたが、ステップＳ３０１の動作で説明した通り、これに限るものではない。例えば、オフライン設定が解除された短時間を挟み、オフライン設定がされていた時間が猶予時間１８ｇ以上の場合を含むとしても良い。この処理によれば、正当でない使用者によって、短時間のオフライン設定解除を挟みつつ、猶予時間１８ｇ以上に渡ってオフライン設定がされた場合の情報保護が可能となる。
【０１１４】
図１９は、移動通信端末装置ＭＳがオフライン設定にあり、かつ、図１８を参照して説明したように、情報がロックされ、そのロック解除暗証番号として所定回数連続して誤った番号が入力された際の、情報保護部１７の情報保護の動作、即ち、情報の初期化の動作のフローチャートを示す。
【０１１５】
このロック解除暗証番号として暗証番号誤り回数１８ｊに渡って連続して誤った番号が入力された際の情報保護部１７の動作は、図１７を参照して説明した、移動通信端末装置ＭＳが圏外に位置し、かつ、そのロック解除暗証番号として暗証番号誤り回数１８ｊに渡って連続して誤った番号が入力された際の情報保護部１７の情報保護の動作に類似している。そこで、同じ動作ステップには同じ符号を付して、説明を省略する。
【０１１６】
制御部１１は、移動通信端末装置ＭＳがオフライン設定にあることを検出し、情報がロックされていると、入力装置１６からロック解除暗証番号を入力し、情報保護モード種別１８ｂが「オフライン」である情報を情報保護パラメータ１８ａから検索する。そして、検索された情報と対応するロック解除暗証番号１８ｆと異なるロック解除暗証番号が、その情報と対応する暗証番号誤り回数１８ｊに渡り連続して入力されたか否かを検出する。
【０１１７】
情報保護部１７は、移動通信端末装置ＭＳがオフライン設定にあり、かつ、上記ロック解除暗証番号１８ｆと異なるロック解除暗証番号が、上記暗証番号誤り回数１８ｊに渡り連続して入力されると、制御部１１によって起動され、動作を開始する（ステップＳ６０１）。
【０１１８】
そして、情報保護モード種別１８ｂが「オフライン」である情報を情報保護パラメータ１８ａから検索し、その情報に対応する情報保護設定１８ｃによって、情報保護の動作を行うか否かを判断する（ステップＳ６０２）。即ち、その情報保護設定１８ｃが「オフ」であれば、情報保護部１７は、情報保護の動作を終了する（ステップＳ４０３）。
【０１１９】
一方、その情報保護設定１８ｃが「オン」であれば、情報保護部１７は、既に説明した、移動通信端末装置ＭＳが圏外に位置し、そのロック解除暗証番号として暗証番号誤り回数１８ｊに渡って連続して誤った番号が入力された際の情報保護部１７の情報保護の動作のステップＳ４０４以降を行う。なお、このオフライン設定にあった際の情報保護部１７の情報保護の動作におけるステップＳ４０４、及びステップＳ４０６では、ステップＳ６０２で検索された情報に対応する情報、即ち、情報保護モード種別１８ｂが「オフライン」である情報と対応して記憶された情報を参照する。
【０１２０】
次に、情報保護部１７によってロックされた情報のロックを解除する動作を説明する。制御部１１が捜索指示信号を受信して起動された情報保護部１７によって内部記憶部２０及び外部記憶媒体３１がロックされている際、制御部１１は、図３の情報保護モード設定の動作のステップＳ１０６及び図６に示す表示部１５の表示を参照して説明した、連作先及び待受メッセージを待ち受け画面に表示する。そして、制御部１１は、汎用暗証番号の入力を誘導する。汎用暗証番号が入力された場合、制御部１１は、内部記憶部２０及び外部記憶媒体３１のロックを解除する。
【０１２１】
圏外に位置している際に制御部１１によって起動された情報保護部１７が内部記憶部２０及び外部記憶媒体３１をロックした場合、制御部１１は、ロック解除暗証番号の入力を誘導する。ロック解除暗証番号が入力されると、制御部１１は、情報保護モード種別１８ｂが「圏外」である情報を情報保護パラメータ１８ａから検索し、その情報と対応するロック解除暗証番号１８ｆを得る。そして、得られたロック解除暗証番号１８ｆと、入力されたロック解除暗証番号が等しい場合、制御部１１は、内部記憶部２０及び外部記憶媒体３１のロックを解除する。
【０１２２】
オフライン設定であった際に制御部１１によって起動された情報保護部１７が内部記憶部２０及び外部記憶媒体３１をロックした場合、制御部１１は、ロック解除暗証番号の入力を誘導する。ロック解除暗証番号が入力されると、制御部１１は、情報保護モード種別１８ｂが「オフライン」である情報を情報保護パラメータ１８ａから検索し、その情報と対応するロック解除暗証番号１８ｆを得る。そして、得られたロック解除暗証番号１８ｆと、入力されたロック解除暗証番号が等しい場合、制御部１１は、内部記憶部２０及び外部記憶媒体３１のロックを解除する。
【０１２３】
ここで、圏外に位置することにより、または、オフライン設定であったことにより施されたロックを解除する際、汎用暗証番号ではなく、ロック解除暗証番号１８ｆを用いて正当な使用者であるか否かの判断を行う。汎用暗証番号と異なり、ロック解除暗証番号１８ｆは頻繁に入力される可能性が低いため、正当な使用者以外の者によって視認される可能性が低く、正当な使用者であるか否かの判断をより確実に行うことができる。
【０１２４】
以上の説明では、外部記憶媒体３１のロックにあたり、接続部２１は、外部記憶媒体３１を取り外し不可能に設定するとしたが、これに限るものではない。例えば、外部記憶媒体３１に記憶された外部アドレス帳３１ａを内部記憶部２０に移動するとしても良い。内部記憶部２０へ情報を移動することにより、外部記憶媒体３１に記憶された情報はなくなるので、たとえ、外部記憶媒体３１が取り出されたとしても、情報の流出の恐れはより少ない。
【０１２５】
以上の説明では、情報の保護は、ロック及び初期化によって行われるとしたが、これに限るものではない。例えば、ロックまたは初期化に代えて、情報に暗号化を施して、暗号化を施す前の情報と置き換えても良い。その場合、暗号化のキーは、図３にフローチャートを示した情報保護部１７の情報保護モード設定の入力に一環として入力され、情報保護パラメータ１８ａの一部として記憶される。そして、暗号化された情報は、上記キーの入力によって暗号が解かれる。
【０１２６】
ロックによれば、正当な使用者がそのロックを解除して、情報へのアクセスを可能にすることが容易である。初期化によれば、確実に情報を保護することができる。暗号化によれば、正当な使用者が暗号を解いて情報へのアクセスを可能に復旧することが可能であり、また、正当な使用者以外の者によって情報へアクセスされる可能性は低い。
【０１２７】
以上の説明では、接続部２１は、外部記憶媒体３１のロックにあたって、外部記憶媒体３１を取り外し不可能に設定するとしたが、これに限るものではない。例えば、外部記憶媒体３１を初期化する際や、外部記憶媒体３１に記憶された情報を内部記憶部２０に移動する際や、外部記憶媒体３１に記憶された情報に暗号化を施す際にも外部記憶媒体３１を取り外し不可能に設定するとしても良い。これによって、情報の流出の恐れを更に減らすことができる。
【０１２８】
以上の説明では、内部記憶部２０は内部アドレス帳２０ａを記憶し、外部記憶媒体３１は外部アドレス帳３１ａを記憶するとしたが、これに限るものではない。内部記憶部２０及び外部記憶媒体３１は如何なる情報を如何なる形式で記憶するとしても良い。上記情報は、全て、本実施形態における情報保護の対象となる。
【０１２９】
更に、以上の説明は、本発明を移動通信端末装置ＭＳに適用した形態を例にとって行ったがこれに限るものではない。また、以上の説明では、情報保護は、捜索モード、圏外時モード、オフライン時モードの３種類に分けて行われるとしたが、これに限るものではない。２種類以下のモードに分けて行われるとしても良い。また、３種類の設定で説明した項目を任意の組合せで選択することが可能である。本発明は以上の構成に限定されるものではなく、種々の変形が可能である。
【図面の簡単な説明】
【０１３０】
【図１】本発明の実施形態に係る移動通信端末装置の構成を示すブロック図。
【図２】本発明の実施形態に係る情報保護パラメータの一例を示す図。
【図３】本発明の実施形態に係る情報保護部の情報保護モードを設定する動作を示すフローチャート。
【図４】本発明の実施形態に係る情報保護部によって表示部に表示される情報保護モード設定画面の一例を示す図（その１、情報保護モード種別の選択）。
【図５】本発明の実施形態に係る情報保護部によって表示部に表示される情報保護モード設定画面の一例を示す図（その２、捜索モード設定で、ロック設定）。
【図６】本発明の実施形態に係る情報保護部によって表示部に表示される情報保護モード設定画面の一例を示す図（その３、捜索モード設定で、ロック設定に付随する文字の入力）。
【図７】本発明の実施形態に係る情報保護部によって表示部に表示される情報保護モード設定画面の一例を示す図（その４、捜索モード設定で、初期化パスワードの入力）。
【図８】本発明の実施形態に係る情報保護部によって表示部に表示される情報保護モード設定画面の一例を示す図（その５、捜索モード設定で、初期化設定）。
【図９】本発明の実施形態に係る情報保護部によって表示部に表示される情報保護モード設定画面の一例を示す図（その６、圏外時モード設定）。
【図１０】本発明の実施形態に係る情報保護部によって表示部に表示される情報保護モード設定画面の一例を示す図（その７、圏外時モード設定で、ロック設定）。
【図１１】本発明の実施形態に係る情報保護部によって表示部に表示される情報保護モード設定画面の一例を示す図（その８、圏外時モード設定で、初期化設定）。
【図１２】本発明の実施形態に係る情報保護部によって表示部に表示される情報保護モード設定画面の一例を示す図（その９、オフライン時モード設定）。
【図１３】本発明の実施形態に係る情報保護部によって表示部に表示される情報保護モード設定画面の一例を示す図（その１０、オフライン時モード設定で、ロック設定）。
【図１４】本発明の実施形態に係る情報保護部によって表示部に表示される情報保護モード設定画面の一例を示す図（その１１、オフライン時モード設定で、初期化設定）。
【図１５】本発明の実施形態に係る情報保護部による捜索モードの情報保護の動作のフローチャート。
【図１６】本発明の実施形態に係る情報保護部による所定時間圏外に位置した際の情報保護の動作のフローチャート。
【図１７】本発明の実施形態に係る情報保護部による圏外に位置し、暗証番号誤りの場合の情報保護の動作のフローチャート。
【図１８】本発明の実施形態に係る情報保護部による所定時間オフライン設定にあった際の情報保護の動作のフローチャート。
【図１９】本発明の実施形態に係る情報保護部によるオフライン設定にあり、暗証番号誤りの場合の情報保護の動作のフローチャート。
【符号の説明】
【０１３１】
１５  表示部
１６  入力装置
１７  情報保護部
１８  情報保護パラメータ記憶部
１８ａ  情報保護パラメータ
１８ｂ  情報保護モード種別
１８ｃ  情報保護設定
１８ｄ  ロック設定
１８ｅ  ロック暗証番号
１８ｆ  ロック解除暗証番号
１８ｇ  猶予時間
１８ｈ  初期化設定
１８ｉ  初期化パスワード
１８ｊ  暗証番号誤り回数
１８ｋ  外部記憶媒体初期化
２０  内部記憶部
２０ａ  内部アドレス帳
２１  接続部
３１  外部記憶媒体
３１ａ  外部アドレス帳
ＭＳ  移動通信端末装置
【図１】
2007300422.tif 000003
【図２】
2007300422.tif 000004
【図３】
2007300422.tif 000005
【図４】
2007300422.tif 000006
【図５】
2007300422.tif 000007
【図６】
2007300422.tif 000008
【図７】
2007300422.tif 000009
【図８】
2007300422.tif 000010
【図９】
2007300422.tif 000011
【図１０】
2007300422.tif 000012
【図１１】
2007300422.tif 000013
【図１２】
2007300422.tif 000014
【図１３】
2007300422.tif 000015
【図１４】
2007300422.tif 000016
【図１５】
2007300422.tif 000017
【図１６】
2007300422.tif 000018
【図１７】
2007300422.tif 000019
【図１８】
2007300422.tif 000020
【図１９】
2007300422.tif 000021